(57)【要約】【課題】携帯性に優れると共に利用者の近傍に載置して所望の領域を照明することができる照明装置を提供する。【解決手段】回動軸２を中心としてカバー部３を第２の位置Ｂまで回動し、筐体１の発光面５を露出させた状態でカバー部３を机の天板等の載置面上に載置すると、筐体１がカバー部３に対して角度θの位置で支持される。回動軸２を中心としてカバー部３を筐体１の主面上に重なり面発光装置４の発光面５を覆う第１の位置まで回動させると、筐体１の発光面５がカバー部３により保護される。【選択図】図２
2006114395.tif 000002
【特許請求の範囲】
【請求項１】
面発光装置を備えた照明装置であって、
前記面発光装置を収容する筐体と、
前記筐体に対して前記面発光装置の発光面を覆って保護する第１の位置と、前記面発光装置の発光面を露出させる第２の位置との間で移動自在に連結されたカバー部と
を備え、前記カバー部は前記第２の位置に移動されて載置面上に載置されることにより前記筐体を所定の仰角または俯角で支持する支持台となることを特徴とする照明装置。
【請求項２】
前記カバー部は、前記第２の位置において前記筐体をその仰角または俯角が調整自在となるように支持する請求項１に記載の照明装置。
【請求項３】
前記カバー部は、前記第１の位置から前記筐体に対して回動することにより前記第２の位置まで移動する請求項１または２に記載の照明装置。
【請求項４】
前記カバー部は、前記第１の位置から前記筐体に対してスライドした後に回動することにより前記第２の位置まで移動する請求項１または２に記載の照明装置。
【請求項５】
電源が内蔵された請求項１〜４のいずれか一項に記載の照明装置。
【請求項６】
前記カバー部は、ヒンジ部を介して前記筐体に連結され、
前記電源は、前記ヒンジ部に内蔵されている請求項５に記載の照明装置。
【請求項７】
複数の面発光装置を備えた照明装置であって、
前記複数の面発光装置をそれぞれ収容し且つ互いに分離された複数の筐体と、
前記複数の筐体のそれぞれに対して前記面発光装置の発光面を覆って保護する第１の位置と、前記面発光装置の発光面を露出させる第２の位置との間で移動自在に連結されたカバー部と
を備え、前記複数のカバー部をそれぞれ前記第１の位置に位置させた状態で互いに回動させることにより前記複数の筐体と前記複数のカバー部が一つに折畳まれ、
前記複数のカバー部をそれぞれ前記第２の位置に位置させた状態で載置面上に載置することにより前記複数の筐体がそれぞれ所定の仰角または俯角で支持されることを特徴とする照明装置。
【請求項８】
前記複数のカバー部は、前記第２の位置においてそれぞれ対応する前記複数の筐体をその仰角または俯角が調整自在となるように支持する請求項７に記載の照明装置。
【請求項９】
互いに隣接する前記カバー部が自在継手により連結される請求項７または８に記載の照明装置。
【請求項１０】
電源が内蔵された請求項７〜９のいずれか一項に記載の照明装置。
【請求項１１】
前記カバー部は、第１のヒンジ部を介して前記筐体に連結され、
前記電源は、前記第１のヒンジ部に内蔵される請求項１０に記載の照明装置。
【請求項１２】
互いに隣接する前記カバー部は、互いに第２のヒンジ部を介して連結され、この第２のヒンジ部に電源が内蔵される請求項７または８に記載の照明装置。
【請求項１３】
前記電源で前記面発光装置が駆動することを特徴とする請求項５、６、１０〜１２のいずれか一項に記載の照明装置。
【請求項１４】
前記面発光装置は有機エレクトロルミネッセンス素子を有する請求項１〜１３のいずれか一項に記載の照明装置。
【発明の詳細な説明】
【技術分野】
【０００１】
この発明は、照明装置に係り、特に面発光型の照明装置に関する。
【背景技術】
【０００２】
机上や手元、人物の顔等、所望の領域のみを部分的に照明する照明装置のうち、携帯性を考慮したものとして、冷陰極管や希ガス放電管等の線光源を用いた照明装置が知られているが、発熱量が大きく、また光源を直視するとまぶしいため、利用者の近傍に載置して使用するには適さないものであった。さらに、線光源を用いた照明装置では、発光部を面光源化するためにリフレクタ等を含む多数の部品が必要となり、小型、特に薄型の照明装置を構成することが困難であった。
そこで、例えば、特許文献１には、エレクトロルミネッセンス（ＥＬ）素子からなる面光源を用いたスタンド型の照明装置が開示されている。ＥＬ素子は、発熱量が少なく、また発光面の全面から均一な光が出射されるため、熱さやまぶしさを感じることなく使用することができる。さらに、素子自体を例えば１ｍｍ以下と極めて薄くすることができるため、薄型の照明装置の実現が可能である。このため、照明対象の近傍に載置して使用する携帯型の照明装置に適している。
【０００３】
【特許文献１】特開２００１−３２５８０５号公報
【発明の開示】
【発明が解決しようとする課題】
【０００４】
しかしながら、特許文献１の照明装置は、それぞれＥＬ素子を収容する一対の光源支持板を互いにヒンジを介して回動自在に連結すると共に互いに所定の角度に開いてこれら光源支持板の端縁で載置面上に自立させるものであるため、発光面を上向きにしたり、あるいは下向きにしたりすることができず、場合によっては所望の領域を照明することが困難となる。そこで、発光面を上下方向に傾けるために、別途支持装置を用意して照明装置を支持しようとすると、部品点数の増加を招き、また携帯性も低下するという問題を生じてしまう。
【０００５】
この発明は、このような従来の問題点を解消するためになされたもので、携帯性に優れると共に利用者の近傍に載置して所望の領域を照明することができる照明装置を提供することを目的とする。
【課題を解決するための手段】
【０００６】
この発明に係る第１の照明装置は、面発光装置を備えた照明装置であって、面発光装置を収容する筐体と、この筐体に対して面発光装置の発光面を覆って保護する第１の位置と、面発光装置の発光面を露出させる第２の位置との間で移動自在に連結されたカバー部とを備えており、カバー部が第２の位置に移動されて載置面上に載置されることにより筐体を所定の仰角または俯角で支持する支持台となるものである。
筐体に対して第２の位置に移動したカバー部を載置面上に載置すると、筐体が所定の仰角または俯角でカバー部に支持される。これにより、所望の領域への照明が可能となる。
【０００７】
なお、カバー部は、第２の位置において筐体をその仰角または俯角が調整自在となるように支持することが好ましい。
カバー部は、第１の位置から筐体に対して回動することによって、あるいは第１の位置から筐体に対してスライドした後に回動することによって、第２の位置まで移動することができる。
また、電源を内蔵することができ、その場合には、カバー部を、ヒンジ部を介して筐体に連結し、このヒンジ部に電源を内蔵することが好ましい。
【０００８】
また、第２の照明装置は、複数の面発光装置を備えた照明装置であって、複数の面発光装置をそれぞれ収容し且つ互いに分離された複数の筐体と、複数の筐体のそれぞれに対して面発光装置の発光面を覆って保護する第１の位置と、面発光装置の発光面を露出させる第２の位置との間で移動自在に連結された複数のカバー部とを備え、複数のカバー部をそれぞれ第１の位置に位置させた状態で互いに回動させることにより複数の筐体と複数のカバー部が一つに折畳まれ、カバー部をそれぞれ第２の位置に位置させた状態で載置面上に載置することにより複数の筐体がそれぞれ所定の仰角または俯角で支持されるものである。
この場合、複数のカバー部は、第２の位置においてそれぞれ対応する筐体をその仰角または俯角が調整自在となるように支持することが好ましい。また、互いに隣接するカバー部を、互いに第２のヒンジ部を介して連結し、この第２のヒンジ部に電源を内蔵することもできる。
また、互いに隣接するカバー部を自在継手により連結することもできる。
【０００９】
また、電源を内蔵することができ、その場合には、カバー部を、第１のヒンジ部を介して発光部に連結し、この第１のヒンジ部に電源を内蔵することが好ましい。この電源により面発光装置を駆動することができる。
なお、好ましくは、面発光装置は有機エレクトロルミネッセンス素子を有している。
【発明の効果】
【００１０】
この発明によれば、携帯性に優れると共に利用者の近傍に載置して所望の領域を照明することができる照明装置が実現される。
【発明を実施するための最良の形態】
【００１１】
以下、この発明の実施の形態を添付図面に基づいて説明する。
＜実施の形態１＞
図１及び２に実施の形態１に係る照明装置を示す。図１に示されるように、実施の形態１の照明装置は、横長のほぼ平板形状を有する筐体１と、筐体１の長辺に沿った一端縁近傍にこの一端縁に沿って配置された回動軸２を中心として筐体１に対し回動自在なカバー部３とを有している。筐体１は、図２に示されるように、有機エレクトロルミネッセンス（以下適宜ＥＬと称する。）素子を有する面発光装置４を備えており、面発光装置４の発光面５が筐体１の一方の主面上に形成されている。また、筐体１のこの主面上には、発光面５の近傍に、面発光装置４による発光をオン／オフするためのスイッチ６が配置されている。
【００１２】
面発光装置４に用いられている有機ＥＬ素子は、例えばガラス基板の表面上に透明電極層、発光層を含む有機層、反射電極層等を積層して形成されており、ガラス基板の裏面が発光面５として筐体１の主面上に配置されている。
【００１３】
カバー部３は、筐体１にほぼ対応した大きさの横長形状を有するカバー本体３ａと、このカバー本体３ａの両側端にそれぞれ形成されたサイド部材３ｂとを有しており、各サイド部材３ｂの端部付近に回動軸２が連結されている。そして、カバー部３は、図１のように筐体１の主面上に重なり面発光装置４の発光面５を覆って保護する第の位置Ａから図２のように筐体１の発光面５を露出させる第２の位置Ｂまで回動軸２を中心として矢印方向に約２７０度以上回動自在に構成されている。
筐体１およびカバー部３は、それぞれ樹脂あるいは金属等を用いて形成することができる。
【００１４】
図１に示されるように、カバー部３は第１の位置Ａにおいて回動軸２が設けられている端部が露出するような切り欠き７を有しており、図２に示されるように、第２の位置Ｂまで回動されたカバー部３を机の天板等の載置面上に載置したときに、筐体１の裏面がカバー部３の切り欠き７に当接することにより、筐体１がカバー部３に対して角度θの位置で支持される。これにより、顔等の所望の領域を照明することが可能となる。
【００１５】
すなわち、カバー部３は、第１の位置Ａにおいては筐体１の発光面５を保護し、第２の位置Ｂにおいては筐体１を所定の角度θで支持する支持台として機能する。
なお、第１の位置Ａにおいて筐体１の発光面５に対向していたカバー部３の内面が、第２の位置Ｂでは机の天板等の載置面に対向することとなる。
【００１６】
筐体１とカバー部３とが回動自在ではあるものの、回動軸２を介して互いにきつく結合されていれば、カバー部３を第２の位置Ｂにしたときに筐体１を任意の仰角（０＜θ＜９０度）あるいは俯角（９０度＜θ＜１８０度）で固定することができ、発光面５の角度調整が可能となり、さらに広い範囲にわたり所望の領域を照明することができる。
ただし、筐体１を俯角状態で使用する場合には、筐体１が載置面まで倒れることを防止するために、上方から見たときに、この照明装置全体の重心が第２の位置Ｂにあるカバー部３の上に位置するように設定することが望ましい。
【００１７】
＜実施の形態２＞
図３〜５に実施の形態２に係る照明装置を示す。この照明装置は、カバー部が第１の位置Ａから第２の位置Ｂに移動する際にスライドした後に回動する点が実施の形態１と異なる。実施の形態１と同一又は類似の部分は同一の符号を付してその詳しい説明を省略する。
図３に示されるように、実施の形態２の照明装置は、横長のほぼ平板形状を有する筐体１と、筐体１に対してスライド及び回動自在なカバー部１０とを有している。また、筐体１の主面上には、発光面５の近傍に、面発光装置４による発光をオン／オフするためのスイッチ６が配置されると共にカバー部１０から筐体１をスライドさせて引き出すときに指を掛けるための突状部１１が形成されている。
【００１８】
カバー部１０は、筐体１にほぼ対応した大きさの横長形状を有するカバー本体１０ａと、このカバー本体１０ａの両側端にそれぞれ形成されたサイド部材１０ｂとを有しており、各サイド部材１０ｂの端部付近にそれぞれ回動軸１２が固定され、図示されていないが、各回動軸１２の端部がサイド部材１０ｂからカバー部１０の内側に所定量だけ突出している。
一方、筐体１の左右の両側面にはそれぞれ筐体１の側端縁に沿って伸びる一条の溝１３が形成されており、各回動軸１２の突出部が対応する溝１３に嵌合することにより、カバー部１０は、図３のように筐体１の主面上に重なり面発光装置４の発光面５を覆って保護する第１の位置Ａから矢印方向にスライド自在に構成されている。
【００１９】
このようにして、各回動軸１２の突出部が対応する溝１３の一端部に当接するまでカバー部１０をスライドさせると、図４に示されるように筐体１の発光面５が露出される。この位置において、カバー部１０は、回動軸１２を中心として矢印方向に回動自在となり、図５に示されるように、筐体１の発光面５が配置されている主面とは反対側の主面の下端縁にカバー部１０のカバー本体１０ａの内面が当接する第２の位置Ｂまで回動される。この状態でカバー部１０を机の天板等の載置面上に載置することにより、筐体１がカバー部１０に対して角度θの位置で支持され、顔等の所望の領域を照明することが可能となる。
また、カバー部１０には、図３に示される第１の位置Ａにおいて筐体１の突状部１１が露出するような切り欠き１０ｃが形成されており、筐体１の突状部１１に指を掛けて容易にカバー部１０から筐体１をスライドさせて引き出すことができるように構成されている。
【００２０】
＜実施の形態３＞
図６〜８に実施の形態３に係る照明装置を示す。この実施の形態では、２つのカバー部がヒンジ部を介して接続されている点が実施の形態１と異なる。実施の形態１と同一又は類似の部分は同一の符号を付してその詳しい説明を省略する。
図６に示されるように、実施の形態３の照明装置は、それぞれ横長のほぼ平板形状を有する二つの筐体２０と、筐体２０の一端部に配置された第１のヒンジ部２１を中心として二つの筐体２０に対しそれぞれ回動自在なカバー部２２とを有している。そして、図６において、左側のカバー部２２の右端部と右側のカバー部２２の左端部とが第２のヒンジ部２４を介して連結されている。
二つの筐体２０は、それぞれ有機ＥＬ素子を有する面発光装置４を備えており、面発光装置４の発光面５がそれぞれ筐体２０の一方の主面上に形成されている。筐体２０の主面上には、発光面５の近傍に、それぞれ対応する面発光装置４による発光をオン／オフするためのスイッチ６が配置されている。
【００２１】
また、カバー部２２は、筐体２０にほぼ対応した大きさの横長形状を有している。筐体２０とカバー部２２はそれぞれ第１のヒンジ部２１を介して回動自在ではあるものの、互いにきつく結合されており、図６に示されるカバー部２２を机の天板等の載置面上に載置したときに、筐体２０をそれぞれ任意の仰角（０＜θ＜９０度）あるいは俯角（９０度＜θ＜１８０度）で固定することができ、発光面５をそれぞれ独立して角度調整することができる。このため、照明方向の自由度が向上し、広い範囲にわたって所望の領域を照明することが可能となる。
【００２２】
カバー部２２は、図６のように筐体２０の発光面５を露出させる第２の位置Ｂと図７のようにそれぞれの筐体２０の主面上に重なり面発光装置４の発光面５を覆って保護する第１の位置Ａとの間で第１のヒンジ部２１を中心として矢印方向に約２７０度以上回動自在に構成されている。
すなわち、二つのカバー部２２は、第１の位置Ａにおいてはそれぞれの筐体２０の発光面５を保護し、第２の位置Ｂにおいてはそれぞれの筐体２０を所定の角度θで支持する支持台として機能する。
【００２３】
図７に示されるように、二つのカバー部２２をそれぞれ第１の位置Ａに位置させた状態で、さらに第２のヒンジ部２４を中心としてこれらカバー部２２を矢印方向に回動させることにより、図８に示されるように、二つの筐体２０と二つのカバー部２２を一つに折り畳むことができる。
従って、収納時には極めて小型になり、特に携帯性に優れた照明装置が実現される。
【００２４】
なお、筐体２０を俯角状態で使用する場合には、筐体２０が載置面まで倒れることを防止するために、上方から見たときに、この照明装置全体の重心が第２の位置Ｂにあるカバー部２２の上に位置するように設定することが望ましい。
上述した実施の形態３の照明装置では、二つの筐体２０と二つのカバー部２２を折り畳み自在に構成したが、同様にして三つ以上の筐体とそれらに対応するカバー部を互いに連結して一つに折り畳むことができるように構成することも可能である。
【００２５】
＜実施の形態４＞
図９及び１０に実施の形態４に係る照明装置を示す。この実施の形態４の照明装置は、上述した実施の形態３の照明装置において、二つのカバー部２２を第２のヒンジ部２４で連結する代わりに、図９に示されるように、自在継手３０を介してこれら二つのカバー部２２を互いに連結したものである。
自在継手３０としては、フレキシブルチューブ等を使用することができる。
【００２６】
このような自在継手３０を用いても、実施の形態３と同様に、使用時には図６に示したように筐体２０の発光面５をそれぞれ独立して角度調整することができ、収納時には図８に示したように二つの筐体２０と二つのカバー部２２を極めてコンパクトに折り畳むことができる。
【００２７】
さらに、カバー部２２を自在継手３０により連結しているので、図１０に示されるように、それぞれ第２の位置Ｂにあるカバー部２２同士を水平面内で互いに角度をつけて載置することができ、双方の筐体２０の発光面５をそれぞれ仰角あるいは俯角方向のみでなく、水平方向にも独立して角度調整することが可能となる。このため、さらに広い範囲にわたって所望の領域を照明することができる。
【００２８】
＜別例＞
実施の形態２において、筐体１の左右の側面には筐体１の側端縁に沿って伸びる一条の溝１３が形成されているがこれに限らず、図１２に示すように筐体１の側端縁に沿って伸びる溝３１が筐体１の側端縁の下半分に形成されていてもよい。また、カバー部１０には、第１の位置Ａにおいて筐体１の突状部１１が露出するように切り欠き１０ｃが形成されているがこれに限らず、図１１に示すように筐体１の上部の長辺に沿った一端縁に沿って段差部３２が形成されていてもよい。この場合、カバー部１０は、筐体１の段差部３２以外を覆う大きさに形成される。
なお、上記の実施の形態１〜４および別例において、照明装置が動かないようにカバー部３,１０,２２等にボルト穴を設けてボルトで固定したり、吸盤等を設けてもよい。
【００２９】
なお、上記の実施の形態１〜４および別例において、それぞれ面発光装置４用の電源として電池等を照明装置に内蔵させることもできる。このようにすれば、電池で面発光装置４を駆動されることができ、携帯性及び機動性が向上し、例えば屋外等で使用する際に効果的である。
電池としては、アルカリ電池、リチウム電池などの一次電池やニカド電池、ニッケル・水素電池などの二次電池などが使用できる。
電池は、各照明装置の筐体１および２０やカバー部３、１０及び２２に適宜内蔵させればよいが、特に、実施の形態３においては第１のヒンジ部２１あるいは第２のヒンジ部２４に、実施の形態４においては第１のヒンジ部２１に別例においては段差部３２にそれぞれ内蔵することができる。これにより、筐体２０やカバー部２２を電池の収納のために大型化する必要がなくなる。
また、電池等を内蔵せずに、外部電源により面発光装置４を駆動することもできる。この場合には、外部電源に電気的に接続するための接続端子等を適当な箇所に配設すればよい。
【００３０】
なお、実施の形態１において、筐体１とカバー部３とを連結するヒンジ部を形成してもよい。その場合、ヒンジ部に電源を内蔵することもできる。
なお、上記の各実施の形態において、面発光装置４として有機ＥＬ素子を用いているが無機ＥＬ素子を用いてもよい。
【００３１】
また、上記の実施の形態１〜４においては、面発光装置４用のスイッチ６をそれぞれ筐体１および２０の一主面上に配設したが、これに限るものではなく、筐体１および２０の側部やカバー部３，１０および２２等に配置してもよい。さらに、実施の形態３においては第１のヒンジ部２１あるいは第２のヒンジ部２４に、実施の形態４においては第１のヒンジ部２１にそれぞれスイッチを配置することもできる。
【００３２】
なお、上記の各実施の形態において、カバー部３，１０および２２を透明部材から構成すれば、カバー部３，１０および２２を第１の位置Ａに位置させて筐体１および２０の発光面５を覆った状態でも面発光装置４を駆動してカバー部３、１０および２２を通して照明光を照射することができる。
【００３３】
この発明によれば、カバー部３、１０および２２に、収納時には筐体１および２０の発光面５を保護する機能を、使用時には筐体１および２０を所定の仰角または俯角で支持する機能を兼備させたため、部品点数を増加させることなく所望の領域を照明することが可能になると共に携帯性の向上を図ることができる。また、光源として面発光装置４を用いているので、発熱量が少なく、また直視してもまぶしさを感じにくく、利用者の近傍に載置して使用するのに適している。
【図面の簡単な説明】
【００３４】
【図１】この発明の実施の形態１に係る照明装置の収納状態を示す斜視図である。
【図２】実施の形態１に係る照明装置の使用状態を示す斜視図である。
【図３】実施の形態２に係る照明装置の収納状態を示す斜視図である。
【図４】実施の形態２に係る照明装置の照明部をカバー部から引き出した状態を示す斜視図である。
【図５】実施の形態２に係る照明装置の使用状態を示す斜視図である。
【図６】実施の形態３に係る照明装置の使用状態を示す斜視図である。
【図７】実施の形態３に係る照明装置を収納する中間段階を示す斜視図である。
【図８】実施の形態３に係る照明装置の収納状態を示す斜視図である。
【図９】実施の形態４に係る照明装置を展開した状態を示す斜視図である。
【図１０】実施の形態４に係る照明装置の使用状態を示す斜視図である。
【図１１】別例に係る照明装置の収納状態を示す斜視図である。
【図１２】別例に係る照明装置の使用状態を示す斜視図である。
【符号の説明】
【００３５】
１，２０…筐体、２…回動軸、３，１０，２２…カバー部、４…面発光装置、５…発光面、６…スイッチ、７，１０ｃ…切り欠き、１１…突状部、１３，３１…溝、３２…段差部、２１…第１のヒンジ、２４…第２のヒンジ、３０…自在継手、２ａ，１０ａ，２２ａ…カバー本体、３ｂ，１０ｂ，２２ｂ…サイド部材、Ａ…第１の位置、Ｂ…第２の位置。
【図１】
2006114395.tif 000003
【図２】
2006114395.tif 000004
【図３】
2006114395.tif 000005
【図４】
2006114395.tif 000006
【図５】
2006114395.tif 000007
【図６】
2006114395.tif 000008
【図７】
2006114395.tif 000009
【図８】
2006114395.tif 000010
【図９】
2006114395.tif 000011
【図１０】
2006114395.tif 000012
【図１１】
2006114395.tif 000013
【図１２】
2006114395.tif 000014